(57)【要約】【課題】太陽光を遮りたい必要な部位のみ調光することができると共に、その位置を自動的に追従することができる太陽位置追従式遮光板を提供する。【解決手段】無色若しくは有色透明なガラス板１５と太陽との相対位置がＧＰＳ受信器１１或いはエリアＣＣＤ１２により検出され、この検出結果に基づいて透明液晶パネル１６がガラス板１５上にあると仮定される太陽位置付近の濃度を他の位置の濃度よりも部分的に濃くする。【選択図】図１
2005335409.tif 000002
【特許請求の範囲】
【請求項１】
無色若しくは有色透明なガラス板と太陽との相対位置を検出する検出手段と、該検出手段の検出結果に基づいて前記ガラス板上にあると仮定される太陽位置付近の濃度を他の位置の濃度よりも部分的に濃くする濃度可変手段とを備えていることを特徴とする太陽位置追従式遮光板。
【請求項２】
前記濃度化変手段が液晶表示パネルであることを特徴とする請求項１に記載の太陽位置追従式遮光板。
【請求項３】
前記検出手段は、実際の太陽位置と人体瞳とを結ぶ線上付近を前記ガラス板上での太陽位置と仮定することを特徴とする請求項１又は請求項２に記載の太陽位置追従式遮光板。
【請求項４】
前記検出手段は、前記ガラス板の全エリア若しくは所定エリアに対応したエリアの光量のピーク値に基づいて前記ガラス板上にあると仮定される太陽位置を検出する２次元のエリアＣＣＤであることを特徴とする請求項１乃至請求項３の何れか一つに記載の太陽位置追従式遮光板。
【請求項５】
前記検出手段及び前記濃度化変手段への電源供給が太陽電池から供給されることを特徴とする請求項１乃至請求項４の何れか一つに記載の太陽位置追従式遮光板。
【発明の詳細な説明】
【技術分野】
【０００１】
本発明は、太陽位置追従式遮光板に関するものである。
【背景技術】
【０００２】
【特許文献１】特開平６−１９９５４６号公報
【特許文献２】特開２００３−４８４２９号公報
【０００３】
従来、例えば、車両用フロントウインドウガラスや車両用サンバイザー、キャップ式のサンバイザーやフェースガード、スキー用ゴーグルやサングラス等の眼鏡具、農作物用ハウスといったガラスには、太陽の有無等によって濃度を可変する調光ガラスが知られている（例えば、特許文献１参照）。
一般的に、このような調光ガラスには、フォトクロミズム活性を示すフォトクロミック化合物層を積層している。
【０００４】
このフォトクロミック化合物層を、例えば、図５（Ａ）に示した車両用フロントガラス１の上縁部にフォトクロミック化合物層２を配置すると共に、常時は無色透明若しくは薄い青系や茶系の有色透明とし、図５（Ｂ）に示すように、太陽光の存在により自動的にその色を濃くすることで防眩性や紫外線カット率を向上させるものである。尚、以下において、図面上では便宜上、濃度差をハッチングの密度差により表現する。
【０００５】
一方、このような材料自体の特性を利用したもののほか、人為的な調光機能を具備したものとして、図６に示すように、積層ガラスとしたものが知られている（例えば、特許文献２参照。）。
【０００６】
積層ガラス３は、２枚の透明ガラス基板４の間に、２枚の透明導電膜５及び液体電解質６及び還元発色膜７が積層状態で担持されたものである。
液体電解質６は、２枚の透明導電膜５の間に封入されており、一方の透明導電膜５の内側面に還元発色膜７が接した状態となっている。２枚の透明導電膜５には、それぞれに対して車載バッテリ等からの電源８が接続されており、スイッチ９をＯＮ操作することで、その２枚の透明導電膜５の間に所定の電圧が印加されるようになっている。尚、液体電解質６としては過塩素酸リチウムをプロピレンカーボネイトで溶かしたものが用いられ、還元発色膜７としては、酸化チタンの薄膜が用いられている。
【発明の開示】
【発明が解決しようとする課題】
【０００７】
ところで、上記の如く構成された調光ガラスにあっては、その全面が略統一濃度に調光される。
しかしながら、実際に防眩対策を施したいのは太陽が直接視野に入ることであり、例え、調光状態のガラスを透して視野を確保することができたとしても、全体的に視野が暗くなることを臨まない場合がある。
【０００８】
本発明は、上記問題を解決するため、太陽光を遮りたい必要な部位のみ調光することができると共に、その位置を自動的に追従させることができる太陽位置追従式遮光板を提供することを目的とする。
【課題を解決するための手段】
【０００９】
その目的を達成するため、請求項１に記載の太陽位置追従式遮光板は、無色若しくは有色透明なガラス板と太陽との相対位置を検出する検出手段と、該検出手段の検出結果に基づいて前記ガラス板上にあると仮定される太陽位置付近の濃度を他の位置の濃度よりも部分的に濃くする濃度可変手段とを備えていることを特徴とする。
【００１０】
請求項２に記載の太陽位置追従式遮光板は、前記濃度化変手段が液晶表示パネルであることを特徴とする。
【００１１】
請求項３に記載の太陽位置追従式遮光板は、前記検出手段は、実際の太陽位置と人体瞳とを結ぶ線上付近を前記ガラス板上での太陽位置と仮定することを特徴とする。
【００１２】
請求項４に記載の太陽位置追従式遮光板は、前記検出手段は、前記ガラス板の全エリア若しくは所定エリアに対応したエリアの光量のピーク値に基づいて前記ガラス板上にあると仮定される太陽位置を検出する２次元のエリアＣＣＤであることを特徴とする。
【００１３】
請求項５に記載の太陽位置追従式遮光板は、前記検出手段及び前記濃度化変手段への電源供給が太陽電池から供給されることを特徴とする。
【発明の効果】
【００１４】
本発明の太陽位置追従式遮光板によれば、無色若しくは有色透明なガラス板と太陽との相対位置が検出手段により検出され、検出手段の検出結果に基づいて濃度可変手段がガラス板上にあると仮定される太陽位置付近の濃度を他の位置の濃度よりも部分的に濃くすることにより、太陽光を遮りたい必要な部位のみ調光することができると共に、検出手段の検出結果に連動してその位置を自動的に追従することができる。
【発明を実施するための最良の形態】
【００１５】
次に、本発明の太陽位置追従式遮光板を図面に基づいて説明する。
【００１６】
図１は本発明の太陽位置追従式遮光板を示し、図１（Ａ）は本発明の太陽位置追従式遮光板のシステムブロック図、図１（Ｂ）は本発明の太陽位置追従式遮光板の一例の断面図、図１（Ｃ）は本発明の太陽位置追従式遮光板の他例の断面図である。
【００１７】
図１において、１１は検出手段としてのＧＰＳ受信器、１２は検出手段としての２次元のエリアＣＣＤ、１３は制御回路、１４は車載バッテリーやソーラーバッテリー等の電源供給用のバッテリー、１５は調光ガラス、１６は透明液晶パネルである。
【００１８】
尚、ここでいう「ガラス」は、非結晶質の無機化合物（珪酸塩等）で構成されたいわゆる「ガラス」に限らず、例えば、ポリカーボネートやアクリル等の合成樹脂やその他の材料で構成された透明部材や有機ガラス等を広く含むものとする。また、ここでいう「透明」とは、無色透明並びに有色透明の何れを問わないものとする。
【００１９】
ＧＰＳ受信器１１は、本発明の太陽位置追従式遮光板を比較的大型な移動体に設置した場合に、その現在位置や向きを検出することで現在太陽位置との相対位置を検出する場合に用いられる。従って、本発明の太陽位置追従式遮光板を比較的小型な携帯式移動体に適用した場合には採用されない。
【００２０】
エリアＣＣＤ１２は、２次元の光量分布に基づいて、そのピーク値から太陽位置を検出するもので、その検出エリアと太陽位置追従式遮光板本体との相対位置が１対１で対応している。尚、太陽位置追従式遮光板の使用目的（製品）に応じて、人体瞳と太陽位置とを相対的に考慮して検出エリアを設定することができる。従って、例えば、後述する車両用サンバイザーといったように、人体瞳（ドライバーの瞳）が太陽位置追従式遮光板から離れている場合等には、その離間距離や人体瞳の位置が考慮される。
【００２１】
制御回路１３は、ＧＰＳ受信器１１を用いた場合、そのＧＰＳ信号から得られる太陽の方向とドライバー等の人体瞳との相対位置を割り出し、透明液晶パネル１６の調光位置を制御する。また、エリアＣＣＤ１２を用いた場合、そのピーク値を算出すると共に、液晶表示パネル１６その算出結果から得られる太陽の方向とドライバー等の人体瞳との相対位置を割り出し、透明液晶パネル１６の調光位置を制御する。尚、これらの各制御は、透明液晶パネル１６と人体瞳とが離間している場合に主に適用される。透明液晶パネル１６と人体瞳とが接近している場合には、エリアＣＣＤ１２のピーク値に対応した透明液晶パネル１６の調光位置の応じた電極への電源制御を行う。
【００２２】
調光ガラス１５は、太陽位置追従式遮光板の全体を一括して調光したい場合に適用され、例えば、図１（Ｂ）に示すように、２枚の透明ガラス基板１７の間に透明導電膜・液体電解質・還元発色膜等からなる調光パネル１８を積層状態で担持したものが適用される。尚、図１（Ｃ）に示すように、調光ガラス１５を単なる透明ガラスやフォトクロミック化合物層からなるガラスとし、その裏面（又は表面）に透明液晶パネル１６を全面（又は一部に）配置したものでもよい。
【００２３】
透明液晶パネル１６は、偏光フィルタ・透明電極・配向膜をそれぞれに備えた２枚の上下ガラス基板を所定間隔を有して重ね合わせ、その空間に液晶を封入したものが使用され、制御回路１３に制御された電極位置に対応して濃度変化する。
【００２４】
このような太陽位置追従式遮光板は、例えば、図２に示すような車両用サンバイザーに適用することができる。
図２は本発明の太陽位置追従式遮光板を車両用サンバイザーに適用した場合を示し、図２（Ａ）は通常の状態の車両用サンバイザーの正面図、図２（Ｂ）は部分的調光状態の車両用サンバイザーの正面図である。
【００２５】
図２に示す車両用サンバイザー２０は、その全体を図１（Ｃ）に示した有色透明で変色しないガラス１５から外観形状が構成されており、その一面全体に透明液晶パネル１６が貼着されている。
【００２６】
そして、車両用サンバイザー２０を使用状態とした場合、制御回路１３がこれを検出すると（別途、検出用スイッチを設けてこのＯＮ信号により検出）、ＧＰＳ受信器１１或いはエリアＣＣＤ１２からの太陽位置検出結果に基づいて制御回路１３が透明液晶パネル１２の電極制御を行う。
【００２７】
これにより、図２（Ｂ）に示すように、その一部の濃度が濃くなり、ドライバーの視野から太陽を隠すことができる。
【００２８】
尚、図３に示すように、車両用サンバイザー３０の全体を図１（Ｃ）に示したフォトクロミック化合物層からなる調光ガラス１５、或いは図１（Ｂ）に示した調光ガラス１５から構成し、太陽光に応じて全体濃度を調整すると共に太陽位置検出結果に基づいてその一部の濃度を濃くしてもよい。
【００２９】
図４（Ａ），（Ｂ）に示すように、キャップ状のサンバイザー４０やサングラス５０等への適用も可能である。この場合、バッテリー１４にはソーラーバッテリが用いられ、太陽位置検出にはエリアＣＣＤ１２が用いられる。尚、これらは図に示すように、適宜位置に配置される。また、これらのほか、車両用フロントウインドウガラスや農業用ハウス、スキー用ゴーグル、軍事用戦闘機やオートバイ用のヘルメット等に用いられているフェースガードといった各種ガラス等への適用も可能である。この際、透明な有機太陽電池等をガラス等の全面に配置することで、例えば、上述したサンバイザー４０やサングラス５０等のソーラーバッテリ等のバッテリー１４をこの有機太陽電池とすることも可能である。
【図面の簡単な説明】
【００３０】
【図１】本発明の太陽位置追従式遮光板を示し、（Ａ）は本発明の太陽位置追従式遮光板のシステムブロック図、（Ｂ）は本発明の太陽位置追従式遮光板の一例の断面図、（Ｃ）は本発明の太陽位置追従式遮光板の他例の断面図である。
【図２】本発明の太陽位置追従式遮光板を示し、（Ａ）は通常の状態の車両用サンバイザーの正面図、（Ｂ）は部分的調光状態の車両用サンバイザーの正面図である。
【図３】本発明の太陽位置追従式遮光板を示し、（Ａ）は通常の状態の車両用サンバイザーの正面図、（Ｂ）は部分的調光状態の車両用サンバイザーの正面図である。
【図４】本発明の太陽位置追従式遮光板を示し、（Ａ）はサンバイザーの斜視図、（Ｂ）はサングラスの斜視図である。
【図５】従来の調光ガラスを示し、（Ａ）は通常の状態の車両用フロントウインドウガラスの正面図、（Ｂ）は調光状態の車両用フロントウインドウガラスの正面図である。
【図６】従来の調光ガラスの断面図である。
【符号の説明】
【００３１】
１１…ＧＰＳ受信器（検出手段）
１２…エリアＣＣＤ（検出手段）
１３…制御回路
１４…バッテリー
１５…調光ガラス
１６…透明液晶パネル（濃度可変手段）
【図１】
2005335409.tif 000003
【図２】
2005335409.tif 000004
【図３】
2005335409.tif 000005
【図４】
2005335409.tif 000006
【図５】
2005335409.tif 000007
【図６】
2005335409.tif 000008